(57)【特許請求の範囲】
【請求項１】
入力電圧を印加する端子間に電界効果トランジスタとカレントトランスの一次巻線とを直列に接続し、
前記カレントトランスの二次巻線を、前記入力電圧オン時に該二次巻線に誘起する電圧により前記電界効果トランジスタをオン状態とするように、該電界効果トランジスタのゲート・ソース間にダイオードを介して接続し、前記入力電圧オフ時の前記カレントトランスの前記二次巻線に誘起する電圧によりオンとなるトランジスタを前記電界効果トランジスタのゲート・ソース間に接続した構成を備えた
ことを特徴とする整流回路。
【請求項２】
入力電圧を印加する端子間に電界効果トランジスタとカレントトランスの一次巻線とを直列に接続し、
前記入力電圧オン時の前記カレントトランスの二次巻線の一方の極性の誘起電圧によりオンとなって前記電界効果トランジスタのゲートに該電界効果トランジスタをターンオンする駆動電圧を印加する第１のトランジスタと、前記入力電圧オフ時の前記カレントトランスの二次巻線の他方の極性の誘起電圧によりオンとなって前記電界効果トランジスタのゲート・ソース間を短絡する第２のトランジスタとを設けた
ことを特徴とする整流回路。
【請求項３】
スイッチングトランジスタによりトランスの一次巻線に流れる電流をオン，オフし、該トランスの二次巻線に誘起する電圧に対応して一方をオン、他方をオフとする整流側の電界効果トランジスタと、フライホイール側の電界効果トランジスタとを有する同期整流回路に於いて、
前記整流側の電界効果トランジスタのゲートに前記トランスの三次巻線の誘起電圧を印加するように接続し、
前記フライホイール側の電界効果トランジスタに、カレントトランスの一次巻線を直列に接続し、該カレントトランスの二次巻線を前記フライホイール側の電界効果トランジスタのゲート・ソース間にダイオードを介して接続し、
前記整流側の電界効果トランジスタのターンオン時の前記カレントトランスの二次巻線の誘起電圧によってオンとなるトランジスタを前記フライホイール側の電界効果トランジスタのゲート・ソース間に接続した
ことを特徴とする同期整流回路。
【請求項４】
スイッチングトランジスタによりトランスの一次巻線に流れる電流をオン，オフし、該トランスの二次巻線に誘起する電圧に対応して一方をオン、他方をオフとする整流側の電界効果トランジスタと、フライホイール側の電界効果トランジスタとを有する同期整流回路に於いて、
前記整流側の電界効果トランジスタのゲートに前記トランスの三次巻線を接続し、
前記整流側の電界効果トランジスタの出力側に、前記フライホイール側の電界効果トランジスタとカレントトランスの一次巻線との直列回路を接続し、
該カレントトランスの二次巻線にそれぞれベースを接続し、前記フライホイール側の電界効果トランジスタの寄生ダイオードを介して前記カレントトランスの一次巻線に流れる電流による該カレントトランスの二次巻線の誘起電圧でオンとなって前記フライホイール側の電界効果トランジスタのゲートにターンオンする駆動電圧を印加する第１のトランジスタと、前記整流側の電界効果トランジスタのターンオン時に前記カレントトランスの一次巻線に流れる電流のオフによる該カレントトランスの二次巻線の誘起電圧でオンとなって前記フライホイール側の電界効果トランジスタのゲート・ソース間を短絡する第２のトランジスタとを設けた
ことを特徴とする同期整流回路。
【発明の詳細な説明】
【０００１】
【発明の属する技術分野】
本発明は、パルス状の入力電圧を整流する為の整流回路及びトランスの一次側のスイッチング動作に同期してオン，オフ動作を行う同期整流回路に関する。
【０００２】
【従来の技術】
図７は従来例の説明図であり、Ｑはスイッチングトランジスタ、Ｔ１はトランス、Ｎ１は一次巻線、Ｎ２は二次巻線、Ｄａ，Ｄｂはダイオード、Ｌはチョークコイル、Ｃはコンデンサ、ＣＯＮＴは制御回路を示し、フォワードコンバータ形式のスイッチング電源装置の要部を示す。
【０００３】
トランスＴ１の一次巻線Ｎ１とスイッチングトランジスタＱとの直列回路に入力電圧Ｖｉｎを印加し、制御回路ＣＯＮＴによってスイッチングトランジスタＱのオン，オフを制御する。それにより、トランスＴ１の一次巻線Ｎ１に流れる電流がオン，オフされて、二次巻線Ｎ２に電圧が誘起し、その誘起電圧を、ダイオードＤａ，ＤｂとチョークコイルＬとコンデンサＣとによる整流平滑回路により整流して平滑化し、出力電圧Ｖｏｕｔとする。この出力電圧Ｖｏｕｔを制御回路ＣＯＮＴにより検出し、設定値と比較してスイッチングトランジスタＱのオン期間を制御し、出力電圧Ｖｏｕｔの安定化を行うものである。
【０００４】
このようなダイオードを用いた整流回路は、ダイオードの順方向電圧降下による整流損失が生じる。この整流損失を低減する為に、順方向電圧が低いショットキーダイオードを用いることが知られている。又オン抵抗が数ｍΩ〜数１０ｍΩ程度の低オン抵抗の電界効果トランジスタが知られており、この電界効果トランジスタを整流回路の整流器として利用する同期整流回路が知られている。
【０００５】
図８は、前述の同期整流回路の従来例を示し、図７と同一機能の部分は同一符号で示し、Ｑはスイッチングトランジスタ、Ｑａ，Ｑｂはトランジスタ、Ｇはゲート、Ｓはソース、Ｄはドレイン、ｄ，ｄａ，ｄｂは寄生ダイオード、Ｅは直流電源を示す。
【０００６】
スイッチングトランジスタＱは電界効果トランジスタ（ＦＥＴ）により構成し、又トランジスタＱａは整流側の電界効果トランジスタ、トランジスタＱｂはフライホイール側の電界効果トランジスタを示し、トランジスタＱａ，Ｑｂは、図７に於けるフォワードコンバータ形式のダイオードＤａ，Ｄｂに対応する。そして、トランスＴ１の一次巻線Ｎ１とスイッチングトランジスタＱとを直列に接続して、直流電源Ｅからの電圧Ｖｉｎを印加し、スイッチングトランジスタＱを制御回路ＣＯＮＴによりオン，オフ制御する。
【０００７】
このスイッチングトランジスタＱがオンとなって一次巻線Ｎ１に電流が流れたことによる二次巻線Ｎ２の誘起電圧が、ゲートＧとドレインＤとの間に印加されて整流側のトランジスタＱａはオンとなり、フライホイール用ダイオードに相当するトランジスタＱｂはオフとなる。従って、二次巻線Ｎ２の誘起電圧は、チョークコイルＬを介してコンデンサＣを充電し、このコンデンサＣの端子電圧が出力電圧Ｖｏｕｔとなる。
【０００８】
又スイッチングトランジスタＱがオフとなると、トランスＴ１の二次巻線Ｎ２に誘起する電圧の極性が反転し、整流側のトランジスタＱａはオフ、フライホイール側のトランジスタＱｂはオンとなる。それにより、チョークコイルＬに蓄積されたエネルギーによる電流が、フライホイール側のトランジスタＱｂを介して流れて、コンデンサＣを継続して充電することができる。このコンデンサＣの端子電圧の出力電圧Ｖｏｕｔを制御回路ＣＯＮＴにより検出し、設定値と比較してスイッチングトランジスタＱのオン期間を制御して、出力電圧Ｖｏｕｔの安定化を行うものである。
【０００９】
【発明が解決しようとする課題】
ダイオードの代わりに低オン抵抗特性のＦＥＴを用いることにより、整流損失を低減することができる。従って、図７に示す従来例に比較して、図８に示す従来例は、整流損失を低減して、スイッチング電源装置としての効率を改善することができる。
【００１０】
しかし、トランスＴ１について共振リセット方式を適用した場合、即ち、スイッチングトランジスタＱをターンオフした時に、トランスＴ１のインダクタンスと、スイッチングトランジスタＱの寄生容量等との共振作用によって、トランスＴ１のリセットを行う構成の場合、トランスＴ１の二次巻線Ｎ２の誘起電圧が零となる期間が生じ、フライホイールダイオードとしてのトランジスタＱｂがオフとなる。その場合、寄生ダイオードｄｂを介して電流が流れるので、図７に於けるダイオードＤｂと同様に順方向電圧降下が生じて、整流損失が大きくなる問題がある。
【００１１】
又トランジスタＱａのゲートＧに、コンデンサＣの充電電圧の正極性側が接続されているから、トランスＴ１の二次巻線Ｎ２に電圧が誘起されていない時に、トランジスタＱａがオンとなって、電流が逆流する問題がある。又ダイオードは２端子素子であるが、ＦＥＴは３端子素子であり、ゲートに制御電圧を印加する構成が必要となり、回路構成が複雑化することになる。
本発明は、電界効果トランジスタを恰も２端子素子として利用可能とし、且つ同期整流回路の効率を改善することを目的とする。
【００１２】
【課題を解決するための手段】
本発明の整流回路は、（１）入力電圧Ｖｐを印加する端子間に電界効果トランジスタＱ０とカレントトランスＣＴの一次巻線ｎ１とを直列に接続し、カレントトランスＣＴの二次巻線ｎ２を電界効果トランジスタＱ０のゲートに接続し、入力電圧Ｖｐオフ時のカレントトランスＣＴの二次巻線ｎ２に誘起する電圧によりオンとなるトランジスタＴｒ１を、電界効果トランジスタＱ０のゲート・ソース間を接続した構成とする。
【００１３】
又（２）入力電圧を印加する端子間に電界効果トランジスタとカレントトランスの一次巻線とを直列に接続し、入力電圧オン時のカレントトランスの二次巻線の誘起電圧によりオンとなって、電界効果トランジスタのゲートにターンオンする駆動電圧を印加する第１のトランジスタと、入力電圧オフ時のカレントトランスの二次巻線の誘起電圧によりオンとなって、電界効果トランジスタのゲート・ソース間を短絡する第２のトランジスタとを設ける。
【００１４】
又（３）本発明の同期整流回路は、スイッチングトランジスタによりトランスの一次巻線に流れる電流をオン，オフし、このトランスの二次巻線に誘起する電圧に対応して一方をオン、他方をオフとする整流側の電界効果トランジスタと、フライホイール側の電界効果トランジスタとを有する同期整流回路であって、整流側の電界効果トランジスタのゲートにトランスの三次巻線の誘起電圧を印加するように接続し、フライホイール側の電界効果トランジスタに、カレントトランスの一次巻線を直列に接続し、このカレントトランスの二次巻線をフライホイール側の電界効果トランジスタのゲートに接続し、整流側の電界効果トランジスタのターンオン時のカレントトランスの二次巻線の誘起電圧によってオンとなるトランジスタを、フライホイール側の電界効果トランジスタのゲート・ソース間に接続した構成とする。
【００１５】
又（４）スイッチングトランジスタによりトランスの一次巻線に流れる電流をオン，オフし、このトランスの二次巻線に誘起する電圧に対応して一方をオン、他方をオフとする整流側の電界効果トランジスタと、フライホイール側の電界効果トランジスタとを有する同期整流回路であって、整流側の電界効果トランジスタの出力側に、フライホイール側の電界効果トランジスタとカレントトランスの一次巻線との直列回路を接続し、このカレントトランスの二次巻線にそれぞれベースを接続し、フライホイール側の電界効果トランジスタの寄生ダイオードを介してカレントトランスの一次巻線に流れる電流による二次巻線の誘起電圧でオンとなって、フライホイール側の電界効果トランジスタのゲートにターンオンする駆動電圧を印加する第１のトランジスタと、整流側の電界効果トランジスタのターンオン時に、カレントトランスの一次巻線に流れる電流のオフによる二次巻線の誘起電圧でオンとなって、フライホイール側の電界効果トランジスタのゲート・ソース間を短絡する第２のトランジスタとを設けた構成とする。
【００１６】
【発明の実施の形態】
図１は本発明の第１の実施の形態の説明図であり、Ｑ０は電界効果トランジスタ（ＦＥＴ）、ｄ０は寄生ダイオード、Ｃｇｄ，Ｃｇｓはゲート・ドレイン間及びゲート・ソース間の寄生容量、ＣＴはカレントトランス、ｎ１は一次巻線、ｎ２は二次巻線、Ｔｒ１はｐｎｐ型のトランジスタ、Ｄ１はダイオード、ＺＤ１，ＺＤ２はツェナーダイオード、Ｒ０は抵抗、Ｖｐは入力電圧、Ｉはトランスの一次巻線に流れる電流を示す。
【００１７】
電界効果トランジスタＱ０のソースにカレントトランスＣＴの一次巻線ｎ１を接続して、入力電圧Ｖｐを図示の極性で印加する。又カレントトランスＣＴの二次巻線ｎ２間にツェナーダイオードＺＤ１，ＺＤ２をそれぞれ逆極性に接続して、二次巻線ｎ２の誘起電圧が過大になった時に導通して、トランジスタＴｒ１及び電界効果トランジスタＱ０に印加される過電圧による破壊を防止する。又カレントトランスＣＴの二次巻線をトランジスタＴｒ１のコレクタとベースとに接続し、この二次巻線ｎ２の誘起電圧を電界効果トランジスタＱ０のソース・ゲート間に印加するように接続する。又ダイオードＤ１は、二次巻線ｎ２の誘起電圧により電界効果トランジスタＱ０をターンオンさせる方向に電圧を印加できる極性に接続する。又抵抗Ｒ０は、二次巻線ｎ２が開放状態とならなるように終端する為の接続した場合を示す。
【００１８】
電界効果トランジスタＱ０がオフの状態で、入力電圧Ｖｐを印加すると、電界効果トランジスタＱ０の寄生ダイオードｄ０を介して、カレントトランスＣＴの一次巻線ｎ１に電流Ｉが流れる。それにより、カレントトランスＣＴの二次巻線ｎ２に電圧が誘起し、この誘起電圧はダイオードＤ１を介して電界効果トランジスタＱ０のゲートに印加され、電界効果トランジスタＱ０はターンオンする。この時のカレントトランスＣＴの二次巻線の誘起電圧極性は、トランジスタＴｒ１をオフとする極性で、トランジスタＴｒ１のベースに印加される。
【００１９】
又カレントトランスＣＴの一次巻線ｎ１は、そのインピーダンスを無視できる程度の太さと巻数とを有するものであり、又電界効果トランジスタＱ０は低オン抵抗特性とすることにより、入力電圧Ｖｐによる電流Ｉが流れた時の電圧降下は無視できる程度となる。従って、整流回路としての損失は、通常のダイオードを用いた場合に比較して低減することができる。
【００２０】
又入力電圧Ｖｐをオフとすると、カレントトランスＣＴの一次巻線ｎ１に流れていた電流Ｉもオフとなり、その時にカレントトランスＣＴの二次巻線ｎ２に電圧が誘起し、この電圧がトランジスタＴｒ１のベースに印加されて、トランジスタＴｒ１はオンとなる。このトランジスタＴｒ１は、電界効果トランジスタＱ０のゲート・ソース間に接続されているから、寄生容量Ｃｇｓに電荷が蓄積されていても、トランジスタＴｒ１を介して急速放電し、電界効果トランジスタＱ０のターンオフの高速化を図ることができる。
【００２１】
前述のように、入力電圧Ｖｐのオン，オフに対応して、電界効果トランジスタＱ０のオン，オフを行って、電流Ｉをオン，オフするができるから、整流器としての作用を行わせることができる。従って、図７に於けるダイオードＤａ，Ｄｂの２端子素子の代わりの整流回路として利用することもできる。
【００２２】
図２は本発明の第２の実施の形態の説明図であり、図１と同一符号は同一機能部分を示し、Ｔｒ２はｎｐｎ型のトランジスタ、Ｒ１，Ｒ２は抵抗、Ｃ１はコンデンサである。図１に示す実施の形態に対して、トランジスタＴｒ２をｎｐｎ型とし、コンデンサＣ１をスピードアップ用として設けている。
【００２３】
即ち、入力電圧Ｖｐをオンとすると、電界効果トランジスタＱ０の寄生ダイオードｄ０を介してカレントトランスＣＴの一次巻線ｎ１に電流Ｉが流れ、二次巻線ｎ２に電圧が誘起し、その誘起電圧は、抵抗Ｒ１を介して電界効果トランジスタＱ０のゲート・ソース間に印加され、電界効果トランジスタＱ０はターンオンする。又トランジスタＴｒ２はオフ状態を継続する。
【００２４】
入力電圧Ｖｐをオフとすると、カレントトランスＣＴの一次巻線ｎ１の電流Ｉもオフとなり、二次巻線ｎ２に電圧が誘起する。この誘起電圧は、抵抗Ｒ１を介して電界効果トランジスタＱ０のゲート・ソース間に印加されるが、ターンオフする極性となる。又トランジスタＴｒ２のベースに、コンデンサＣ１の充電電圧と、カレントトランスＣＴの二次巻線の誘起電圧とが加算されて印加され、トランジスタＴｒ２は急速にオンとなり、電界効果トランジスタＱ０のゲート・ソース間を短絡する。それにより、電界効果トランジスタＱ０のゲート・ソース間の寄生容量Ｃｇｓに電荷が蓄積されていても急速放電されるから、電界効果トランジスタＱ０は急速にターンオフする。
【００２５】
図３は本発明の第３の実施の形態の説明図であり、図１と同一符号は同一機能部分を示し、Ｔｒ３はｎｐｎ型の第１のトランジスタ、Ｔｒ４はｐｎｐ型の第２のトランジスタ、Ｄ２はダイオード、Ｒ３は抵抗、Ｖ１は駆動電圧を示す。この実施の形態は、駆動電圧Ｖ１をトランジスタＴｒ３を介して電界効果トランジスタＱ０のゲートに印加してターンオンする構成を付加している。
【００２６】
即ち、電界効果トランジスタＱ０とカレントトランスＣＴの一次巻線ｎ１とを直列に接続して電圧を印加すると、図１に示す実施の形態と同様に、電界効果トランジスタＱ０の寄生ダイオードｄ０を介して電流がカレントトランスＣＴの一次巻線ｎ１に流れ、二次巻線ｎ２に誘起した電圧がダイオードＤ２を介してトランジスタＴｒ３，Ｔｒ４のベースに印加され、相補型の一方の第１のトランジスタＴｒ３はオン、他方の第２のトランジスタＴｒ４はオフとなる。それにより、トランジスタＴｒ３を介して駆動電圧Ｖ１が電界効果トランジスタＱ０のゲートに印加され、寄生容量Ｃｇｄ，Ｃｇｓの急速充電によりゲート電圧を急速に閾値電圧以上としてターンオンさせることができる。
【００２７】
又入力電圧をオフとすると、カレントトランスＣＴの二次巻線ｎ２の誘起電圧の極性が反転し、ダイオードＤ２には逆極性に印加されるから、相補型の一方のトランジスタＴｒ３はオフ、他方のトランジスタＴｒ４はオンとなり、このトランジスタＴｒ４によって電界効果トランジスタＱ０のゲート・ソース間を短絡し、寄生容量Ｃｇｓの電荷を急速放電して、電界効果トランジスタＱ０をターンオフする。この実施の形態に於いては、駆動電圧Ｖ１を用いることにより、ゲート・ソース間の寄生容量Ｃｇｓが多少大きい場合でも、電界効果トランジスタＱ０のターンオンを高速化することができる。
【００２８】
図４は本発明の第４の実施の形態の説明図であり、図１の整流回路を、図８の同期整流回路に適用した要部を示す。従って、図１及び図８と同一符号は同一機能部分を示し、Ｔ２は一次巻線Ｎ１と二次巻線Ｎ２と三次巻線Ｎ３とを有するトランスであり、又スイッチングトランジスタＱ１のオン，オフを制御する制御回路は図示を省略している。
【００２９】
スイッチングトランジスタＱ１をオンとすると、トランスＴ２の三次巻線Ｎ３の誘起電圧により整流側の電界効果トランジスタＱ２はターンオンし、二次巻線Ｎ２の誘起電圧を、低オン抵抗特性の電界効果トランジスタＱ２とチョークコイルＬとを介してコンデンサＣに印加する。その時、フライホイール側の電界効果トランジスタＱ３の寄生ダイオードｄ３に対しては逆極性の電圧が印加され、カレントトランスＣＴの一次巻線ｎ１には電流が流れないので、電界効果トランジスタＱ３は前述のようにオフを継続する。
【００３０】
次に、スイッチングトランジスタＱ１をオフとすると、トランスＴ２の三次巻線Ｎ３の誘起電圧が逆極性となり、整流側の電界効果トランジスタＱ２はターンオフし、チョークコイルＬの蓄積エネルギーによる電流がコンデンサＣを介して流れることになるが、その電流は、フライホイール側の電界効果トランジスタＱ３の寄生ダイオードｄ３を介して流れる。
【００３１】
それにより、カレントトランスＣＴの二次巻線ｎ２に電圧が誘起し、この電圧が、前述のように、電界効果トランジスタＱ３のゲートに印加され、電界効果トランジスタＱ３はターンオンする。従って、低オン抵抗特性の電界効果トランジスタＱ３を介してコンデンサＣの充電電流が流れるから、損失を低減することができる。
【００３２】
又スイッチングトランジスタＱ１のオフを継続している場合、トランスＴ２の三次巻線Ｎ３の誘起電圧が零であるから、電界効果トランジスタＱ２はオフを継続し、又電界効果トランジスタＱ３に、コンデンサＣの端子電圧がチョークコイルＬとカレントトランスＣＴの一次巻線ｎ１とを介して印加されても、寄生ダイオードｄ３に対しては逆極性となるから、この電界効果トランジスタＱ３もオフを継続する。即ち、電流の逆流を防止することができる。
【００３３】
図５は本発明の第５の実施の形態の説明図であり、図２の整流回路を、図８の同期整流回路に適用した要部を示す。従って、図２及び図８と同一符号は同一機能部分を示し、Ｔ２は図４と同様に、一次巻線Ｎ１と二次巻線Ｎ２と三次巻線Ｎ３とを有するトランスであり、又スイッチングトランジスタＱ１のオン，オフを制御する制御回路は図示を省略している。
【００３４】
前述のように、スイッチングトランジスタＱ１をオンとすると、トランスＴ２の三次巻線Ｎ３の誘起電圧により、整流側の電界効果トランジスタＱ２はターンオンし、トランスＴ２の二次巻線Ｎ２の誘起電圧により、チョークコイルＬを介してコンデンサＣの充電が行われる。その時、フライホイール側の電界効果トランジスタＱ３は、寄生ダイオードｄ３に逆極性の電圧が印加されるから、カレントトランスＣＴの一次巻線ｎ１には電流が流れない。従って、カレントトランスＣＴの二次巻線ｎ２には電圧が誘起されず、電界効果トランジスタＱ３はオフを継続している。
【００３５】
次に、スイッチングトランジスタＱ１をオフとすると、トランスＴ２の三次巻線Ｎ３の誘起電圧の極性が反転し、整流側の電界効果トランジスタＱ２はターンオフする。それにより、チョークコイルＬの蓄積エネルギーによる電流がコンデンサＣを充電することになり、その時の電流がフライホイール側の電界効果トランジスタＱ３の寄生ダイオードｄ３を介して流れる。
【００３６】
従って、カレントトランスＣＴの二次巻線ｎ２に電圧が誘起し、この誘起電圧が電界効果トランジスタＱ３のゲート・ソース間に抵抗Ｒ１を介して印加され、電界効果トランジスタＱ３はターンオンする。この時、カレントトランスＣＴの二次巻線の誘起電圧は、トランジスタＴｒ２のベースには逆極性として印加され、トランジスタＴｒ２はオフのままとなる。
【００３７】
次に、スイッチングトランジスタＱ１をオンとすると、整流側の電界効果トランジスタＱ２はターンオンし、フライホイール側の電界効果トランジスタＱ３とカレントトランスＣＴの一次巻線ｎ１との直列回路には、電界効果トランジスタＱ２がオフの時の印加電圧極性と反対の極性の電圧が印加されることになり、カレントトランスＣＴの一次巻線ｎ１に電流が流れなくなる。その時、カレントトランスＣＴの二次巻線ｎ２に電圧が誘起し、その誘起電圧がトランジスタＴｒ２のベースに印加されて、トランジスタＴｒ２はオンとなり、電界効果トランジスタＱ３のゲート・ソース間を短絡し、電界効果トランジスタＱ３を急速にターンオフさせることができる。
【００３８】
図６は本発明の第６の実施の形態の説明図であり、図３の整流回路を、図８の同期整流回路に適用した要部を示す。従って、図３及び図８と同一符号は同一機能部分を示し、Ｔ２は図４と同様に、一次巻線Ｎ１と二次巻線Ｎ２と三次巻線Ｎ３とを有するトランスであり、又スイッチングトランジスタＱ１のオン，オフを制御する制御回路は図示を省略している。
【００３９】
第１，第２のトランジスタＴｒ３，Ｔｒ４は、前述のように、ｎｐｎ型とｐｎｐ型との相補型のトランジスタであり、ダイオードＤ２を介して印加される電圧により、第１のトランジスタＴｒ３はオン、第２のトランジスタＴｒ４はオフとなり、第１のトランジスタＴｒ３を介して駆動電圧Ｖ１が電界効果トランジスタＱ３のゲートに印加され、寄生容量Ｃｇｄ，Ｃｇｓの急速充電により電界効果トランジスタＱ３を急速にターンオンし、低オン抵抗特性により、チョークコイルＬからコンデンサＣに流れる電流に損失を与えないようにすることができる。
【００４０】
又スイッチングトランジスタＱ１をオンとすると、前述のように、電界効果トランジスタＱ２はオンとなり、カレントトランスＣＴの一次巻線ｎ１に流れる電流はオフとなる。それにより、二次巻線ｎ２の誘起電圧の極性が反転し、第１のトランジスタＴｒ３はオフ、第２のトランジスタＴｒ４はオンとなり、電界効果トランジスタＱ３のゲート・ソース間を短絡して、電界効果トランジスタＱ３を急速にターンオフさせる。
【００４１】
又この実施の形態に於いても、トランスＴ２の二次巻線Ｎ２の誘起電圧が零の場合に、コンデンサＣの端子電圧がチョークコイルＬを介して、フライホイール側の電界効果トランジスタＱ３に印加されるが、寄生ダイオードｄ３に対しては逆極性であるから、カレントトランスＣＴの一次巻線ｎ１に電流が流れることはない。即ち、逆流は生じないことになる。又フライホイール側の電界効果トランジスタＱ３のターンオン及びターンオフを高速化することができるから、確実に整流側の電界効果トランジスタＱ２とが同時にオンとならないようにすることができる。
【００４２】
本発明は、前述の各実施の形態のみに限定されるものではなく、種々付加変更することが可能であり、例えば、図３及び図６に於ける駆動電圧Ｖ１は、コンデンサＣの端子電圧をそのまま、或いは分圧した電圧とすることができる。又整流回路は、フォワードコンバータ形式以外の各種の形式のコンバータの整流器に相当する構成として利用することができる。又トランジスタＴｒ１〜Ｔｒ４は、バイポーラ・トランジスタのｎｐｎ型，ｐｎｐ型に対応して、カレントトランスＣＴの二次巻線ｎ２の誘起電圧によって動作するｎチャネル型やｐチャネル型の電界効果トランジスタとすることも可能である。
【００４３】
【発明の効果】
以上説明したように、本発明は、入力電圧Ｖｐを印加する端子間に電界効果トランジスタＱ０とカレントトランスＣＴの一次巻線ｎ１とを直列に接続し、このカレントトランスＣＴの二次巻線の誘起電圧を電界効果トランジスタＱ０のゲートに印加してターンオンさせ、又その誘起電圧が逆極性の場合に、電界効果トランジスタＱ０のゲート・ソース間をトランジスタＴｒ１により短絡し、電界効果トランジスタＱ０をターンオフさせるもので、このような整流回路は、２端子回路構成であるから、取扱いが容易であり、且つ低オン抵抗特性であるから、整流損失を低減することができる。従って、各種の整流回路に適用することができる。特に、同期整流回路のフライホイール側に適用して、チョークコイルＬの蓄積エネルギーを有効に利用することができる利点がある。
【００４４】
又電界効果トランジスタＱ０のターンオンの駆動電圧Ｖ１を第１のトランジスタＴｒ３を介して印加する構成とした場合、電界効果トランジスタＱ０の高速ターンオンが可能となる。又第２のトランジスタＴｒ４によりゲート・ソース間を短絡する構成とすると、高速ターンオフも可能となる。従って、各種の整流回路に適用することができるもので、特に、同期整流回路のフライホイール側に適用して、整流側の電界効果トランジスタのターンオフ，ターンオンに対応して高速でターンオン，ターンオフの制御が可能となり、整流損失を低減することができる利点がある。
【図面の簡単な説明】
【図１】本発明の第１の実施の形態の説明図である。
【図２】本発明の第２の実施の形態の説明図である。
【図３】本発明の第３の実施の形態の説明図である。
【図４】本発明の第４の実施の形態の説明図である。
【図５】本発明の第５の実施の形態の説明図である。
【図６】本発明の第６の実施の形態の説明図である。
【図７】従来例の説明図である。
【図８】従来例の説明図である。
【符号の説明】
Ｑ０  電界効果トランジスタ
ｄ０  寄生ダイオード
Ｃｇｄ，Ｃｇｓ  寄生容量
ＣＴ  カレントトランス
ｎ１  一次巻線
ｎ２  二次巻線
Ｔｒ１  トランジスタ
Ｄ１  ダイオード
ＺＤ１，ＺＤ２  ツェナーダイオード
Ｖｐ  入力電圧
Ｒ０  抵抗
【図１】
0003572572.tif 000002
【図２】
0003572572.tif 000003
【図３】
0003572572.tif 000004
【図４】
0003572572.tif 000005
【図５】
0003572572.tif 000006
【図６】
0003572572.tif 000007
【図７】
0003572572.tif 000008
【図８】
0003572572.tif 000009